(57)【要約】【課題】眼内レンズが移植された眼などの検査を好適に行う。【解決手段】実施形態の眼科装置は、被検眼を光学的に検査するために使用され、光学系と、アライメント系と、判定部とを含む。光学系は、被検眼の眼底に向けて光束を投射し、その戻り光をパターン像として検出する。アライメント系は、被検眼に対する光学系のアライメントを行うために動作する。判定部は、アライメント系によりアライメントが行われているときに、光学系により検出されたパターン像を解析してゴーストの有無を判定する。【選択図】図４
2018153547.tif 000002
【特許請求の範囲】
【請求項１】
被検眼を光学的に検査するための眼科装置であって、
前記被検眼の眼底に向けて光束を投射し、その戻り光をパターン像として検出する光学系と、
前記被検眼に対する前記光学系のアライメントを行うためのアライメント系と、
前記アライメント系によりアライメントが行われているときに、前記光学系により検出された前記パターン像を解析してゴーストの有無を判定する判定部と
を含む眼科装置。
【請求項２】
前記判定部は、前記光学系により検出された前記パターン像の輝度が所定条件を満足するか判定する第１判定部を含む
ことを特徴とする請求項１に記載の眼科装置。
【請求項３】
前記判定部は、
前記光学系により検出された前記パターン像を解析して屈折力値を求める演算部と、
前記演算部により求められた前記屈折力値が所定閾値以上であるか判定する第２判定部と
を含む
ことを特徴とする請求項１に記載の眼科装置。
【請求項４】
前記アライメントの後に前記被検眼の光学的な検査が行われているときに、前記判定部は、前記光学系により検出された前記パターン像を解析してゴーストの有無を判定する
ことを特徴とする請求項１〜３のいずれかに記載の眼科装置。
【請求項５】
前記パターン像にゴーストが含まれると前記判定部により判定されたことを報知する報知制御部を含む
ことを特徴とする請求項１〜４のいずれかに記載の眼科装置。
【請求項６】
前記アライメント系は、
前記アライメントを行うためのデータを取得するアライメントデータ取得部と、
モーターを含み、前記モーターにより発生された駆動力に基づき前記光学系を移動する移動機構と、
前記アライメントデータ取得部により取得された前記データに基づいて前記モーターを制御する移動制御部と
を含む
ことを特徴とする請求項１〜５のいずれかに記載の眼科装置。
【請求項７】
前記移動制御部は、前記アライメントデータ取得部により取得された前記データに基づき前記モーターを制御する第１制御を実行した後に、前記アライメントデータ取得部により取得された前記データと前記光学系により検出された前記パターン像とに基づいて前記モーターを制御する第２制御を実行する
ことを特徴とする請求項６に記載の眼科装置。
【請求項８】
前記光学系は、
前記戻り光からパターン光を生成する光学素子と、
前記パターン光を前記パターン像として検出するイメージセンサーと
を含む
ことを特徴とする請求項１〜７のいずれかに記載の眼科装置。
【請求項９】
前記光学系は、前記パターン像の検出を反復的に実行し、
前記判定部は、前記光学系によるパターン像の検出の反復に応じて前記ゴーストの有無の判定を反復的に実行する
ことを特徴とする請求項１〜８のいずれかに記載の眼科装置。
【請求項１０】
前記アライメントが行われているときに、前記アライメントのための所定の情報と、前記光学系により検出された前記パターン像とを表示手段に表示させる表示制御部を含む
ことを特徴とする請求項１〜９のいずれかに記載の眼科装置。
【請求項１１】
被検眼を光学的に検査するための眼科装置の制御方法であって、
前記被検眼に対する前記眼科装置のアライメントを行うステップと、
前記アライメントが行われているときに、前記被検眼の眼底に向けて光束を投射し、その戻り光をパターン像として検出するステップと、
前記アライメントが行われているときに、前記パターン像を解析してゴーストの有無を判定するステップと
を含む眼科装置の制御方法。
【発明の詳細な説明】
【技術分野】
【０００１】
この発明は、眼科装置及びその制御方法に関する。
【背景技術】
【０００２】
眼科装置は、眼科分野において使用される装置であり、被検眼のデータを取得するために用いられる。眼科装置としては、被検眼の特性を測定するための装置や、被検眼の撮影を行うための装置などがある。
【０００３】
検査（測定、撮影等）の対象は、疾患や異常を伴う眼（病眼）であることが多い。病眼には、測定や撮影の信頼性を低下させたり、円滑な実施を妨げたりするタイプのものがある。その代表的なタイプとして、白内障眼や、眼内レンズが移植された眼（ＩＯＬ眼）がある。
【０００４】
眼内レンズ（ＩＯＬ）は、白内障や屈折異常の治療のために眼内に挿入される光学素子である。白内障の治療では、混濁した水晶体が眼内レンズで置換される。屈折異常（近視、遠視、乱視）の治療では、有水晶体眼内レンズ（フェイキックＩＯＬ）が水晶体と角膜との間に移植される。
【０００５】
ＩＯＬ眼の検査を行うとき、特有の問題が生じることがある。典型的には、眼内レンズでの反射に起因するノイズ光が検査に悪影響を与えることがある。特に、ポリメチルメタクリレート（ＰＭＭＡ）のように比較的屈折率が高い素材からなる眼内レンズが移植された眼の眼底に光を投射する場合に、悪影響は顕著となる。このような検査として、屈折力測定、波面収差測定、眼軸長測定、眼底撮影、眼底の光コヒーレンストモグラフィ（ＯＣＴ）などがある。
【０００６】
なお、被検眼において反射率が最も高いのは角膜表面である。角膜表面反射については、角膜の曲率半径が比較的小さいことを利用し、光束の投射位置を角膜頂点から僅かに偏位させることで、光学系の有効径外に反射光を逃がすことができる。この手法は、曲率半径が比較的大きい眼内レンズでの反射には有効ではない。また、眼内レンズの光軸は被検眼の軸と必ずしも一致せず、これらの位置関係は被検眼毎に異なるため、画一的な手法で眼内レンズでの反射の影響を回避することは難しい。
【０００７】
特許文献１には、眼底に投影された指標の撮影像（測定画像）から眼屈折力を求める眼科装置が開示されている。この眼科装置は、眼内レンズや白内障の影響で測定エラーとなったときに測定画像を表示するように構成されている。
【先行技術文献】
【特許文献】
【０００８】
【特許文献１】特開２００７−８９７１５号公報
【発明の概要】
【発明が解決しようとする課題】
【０００９】
しかしながら、特許文献１に開示された眼科装置は、測定の終了後に測定画像を表示するものであるため、測定エラーとなった場合には再度測定を行わなければならず、被検者、検者ともに負担が大きい。また、特許文献１は、測定エラーを回避するための具体的な手段を開示していないため、再度測定を行ったとしても同じ結果となる可能性が高いと言える。
【００１０】
この発明の目的は、ＩＯＬ眼等の検査を好適に行うための技術を提供することにある。
【課題を解決するための手段】
【００１１】
実施形態の第１の態様は、被検眼を光学的に検査するための眼科装置であって、上記被検眼の眼底に向けて光束を投射し、その戻り光をパターン像として検出する光学系と、上記被検眼に対する上記光学系のアライメントを行うためのアライメント系と、上記アライメント系によりアライメントが行われているときに、上記光学系により検出された上記パターン像を解析してゴーストの有無を判定する判定部とを含む。
【００１２】
実施形態の第２の態様において、上記判定部は、上記光学系により検出された上記パターン像の輝度が所定条件を満足するか判定する第１判定部を含む。
【００１３】
実施形態の第３の態様において、上記判定部は、上記光学系により検出された上記パターン像を解析して屈折力値を求める演算部と、上記演算部により求められた上記屈折力値が所定閾値以上であるか判定する第２判定部とを含む。
【００１４】
実施形態の第４の態様において、上記判定部は、上記アライメントの後に上記被検眼の光学的な検査が行われているときに、上記光学系により検出された上記パターン像を解析してゴーストの有無を判定する。
【００１５】
実施形態の第５の態様は、パターン像にゴーストが含まれると上記判定部により判定されたことを報知する報知制御部を含む。
【００１６】
実施形態の第６の態様において、上記アライメント系は、上記アライメントを行うためのデータを取得するアライメントデータ取得部と、モーターを含み、上記モーターにより発生された駆動力に基づき上記光学系を移動する移動機構と、上記アライメントデータ取得部により取得された上記データに基づいて上記モーターを制御する移動制御部とを含む。
【００１７】
実施形態の第７の態様において、上記移動制御部は、上記アライメントデータ取得部により取得された上記データに基づき上記モーターを制御する第１制御を実行した後に、上記アライメントデータ取得部により取得された上記データと上記光学系により検出された上記パターン像とに基づいて上記モーターを制御する第２制御を実行する。
【００１８】
実施形態の第８の態様において、上記光学系は、上記戻り光からパターン光を生成する光学素子と、上記パターン光を上記パターン像として検出するイメージセンサーとを含む。
【００１９】
実施形態の第９の態様において、上記光学系は、上記パターン像の検出を反復的に実行し、上記判定部は、上記光学系によるパターン像の検出の反復に応じて上記ゴーストの有無の判定を反復的に実行する。
【００２０】
実施形態の第１０の態様は、上記アライメントが行われているときに、上記アライメントのための所定の情報と、上記光学系により検出された上記パターン像とを表示手段に表示させる表示制御部を含む。
【００２１】
実施形態の第１１の態様は、被検眼を光学的に検査するための眼科装置の制御方法であって、上記被検眼に対する上記眼科装置のアライメントを行うステップと、上記アライメントが行われているときに、上記被検眼の眼底に向けて光束を投射し、その戻り光をパターン像として検出するステップと、上記アライメントが行われているときに、上記パターン像を解析してゴーストの有無を判定するステップとを含む。
【００２２】
上記した装置及び方法はこの発明の例示的な態様である。実施形態に係る装置は、上記した構成要素の任意の組み合わせであってよい。同様に、実施形態に係る方法は、上記した構成要素の任意の組み合わせであってよい。また、実施形態は、上記した構成要素の任意の組み合わせを含むシステム、コンピュータプログラム、記録媒体であってもよい。
【発明の効果】
【００２３】
実施形態によれば、ＩＯＬ眼等の検査を好適に行うことができる。
【図面の簡単な説明】
【００２４】
【図１】第１実施形態に係る眼科装置の構成の例を示す概略図である。
【図２Ａ】第１実施形態に係る眼科装置の構成の例を示す概略図である。
【図２Ｂ】第１実施形態に係る眼科装置の構成の例を示す概略図である。
【図３】第１実施形態に係る眼科装置が実行する測定の例を説明するための概略図である。
【図４】第１実施形態に係る眼科装置の構成の例を示す概略図である。
【図５】第１実施形態に係る眼科装置の動作の例を示すフローチャートである。
【図６】第１実施形態に係る眼科装置が表示する情報の例を説明するための概略図である。
【図７】第２実施形態に係る眼科装置の構成の例を示す概略図である。
【図８】第３実施形態に係る眼科装置の構成の例を示す概略図である。
【図９】第３実施形態に係る眼科装置の動作の例を示すフローチャートである。
【発明を実施するための形態】
【００２５】
この発明の例示的な実施形態について、図面を参照しながら詳細に説明する。なお、この明細書において引用された文献に開示された技術を含む任意の公知技術を、以下の実施形態に援用することが可能である。
【００２６】
実施形態に係る眼科装置は、任意の自覚検査及び任意の他覚測定の少なくとも一方を実行可能である。自覚検査では、被検者に情報（視標など）が呈示され、その情報に対する被検者の応答に基づいて被検眼のデータが求められる。自覚検査には、遠用検査、近用検査、コントラスト検査、グレアー検査等の自覚屈折測定や、視野検査などがある。他覚測定では、被検眼に光を投射し、その戻り光の検出結果に基づいて被検眼に関する情報が取得される。他覚測定には、被検眼の特性を取得するための測定と、被検眼の画像を取得するための撮影とが含まれる。他覚測定には、他覚屈折測定、角膜形状測定、眼圧測定、眼底撮影、ＯＣＴを用いた断層撮影（ＯＣＴ撮影）、ＯＣＴを用いた計測等がある。
【００２７】
以下、実施形態に係る眼科装置は、自覚検査として、遠用検査、近用検査などを実行可能であり、且つ、他覚測定として、波面収差計測による他覚屈折測定、角膜形状測定などを実行可能な装置であるものとする。しかしながら、実施形態に係る眼科装置の構成は、これに限定されるものではない。
【００２８】
〈第１実施形態〉
実施形態に係る眼科装置は、ベースに固定された顔受け部と、ベースに対して前後上下左右に移動可能な架台とを備えている。架台には、被検眼の検査（測定）を行うための光学系が収納されたヘッド部が設けられている。検者側の位置に配置された操作部に対して操作を行うことにより、顔受け部とヘッド部とを相対移動することができる。また、眼科装置は、後述のアライメントを実行することにより顔受け部とヘッド部とを自動で相対移動することができる。
【００２９】
〈構成〉
実施形態に係る眼科装置の構成例を図１に示す。眼科装置は、被検眼Ｅの検査を行うための光学系として、Ｚアライメント系１、ＸＹアライメント系２、プラチド指標投影系３、視標投影系４、観察系５、収差測定投射系６、及び収差測定受光系７を含む。また、眼科装置は処理部９を含む。また、符号Ｋは角膜を示し、符号Ｅｃは水晶体又は眼内レンズを示し、符号Ｅｆは眼底を示す。
【００３０】
（処理部９）
処理部９は、眼科装置の各部を制御する。また、処理部９は、各種の演算処理を実行可能である。処理部９はプロセッサを含む。プロセッサの機能は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路により実現される。処理部９は、例えば、記憶回路や記憶装置に格納されているプログラムを読み出し実行することで、実施形態に係る機能を実現する。
【００３１】
（観察系５）
観察系５は、被検眼Ｅの前眼部を動画撮影する。観察系５は、前眼部を照明するための照明光源を含んでいてもよい。
【００３２】
被検眼Ｅの前眼部からの光（例えば、赤外光）は、対物レンズ５１を通過し、ダイクロイックミラー５２を透過し、絞り５３の開口を通過する。絞り５３の開口を通過した光は、ハーフミラー２２を透過し、リレーレンズ５４を通過し、結像レンズ５５に導かれる。結像レンズ５５は、リレーレンズ５４から導かれた前眼部像をエリアセンサー５６の受光面に結像する。エリアセンサー５６の受光面は、被検眼Ｅの瞳孔に対して光学的に略共役な位置に配置されている。エリアセンサー５６は、所定のレートで撮像及び信号出力を行う。
【００３３】
エリアセンサー５６の出力（映像信号）は処理部９に入力される。処理部９は、この映像信号に基づく前眼部像Ｅ´を表示装置１０の表示画面１０ａに表示させる。前眼部像Ｅ´は、例えば赤外動画像である。
【００３４】
（Ｚアライメント系１）
Ｚアライメント系１は、観察系５の光軸方向（前後方向、Ｚ方向）におけるアライメントを行うための光（赤外光）を被検眼Ｅに投射する。Ｚアライメント光源１１から出力された光は、角膜Ｋに投射され、角膜Ｋにより反射され、結像レンズ１２に導かれる。結像レンズ１２は、導かれてきた光をラインセンサー１３の受光面に結像する。角膜頂点の位置が前後方向に変化すると、ラインセンサー１３に対する光の投影位置が変化する。ラインセンサー１３の出力は処理部９に入力される。
【００３５】
自動でＺアライメントを行う場合、処理部９は、ラインセンサー１３の特定の受光素子（例えば、ライン配列の中央に位置する受光素子）に角膜反射光が投射されるように、光学系を移動するための機構を制御する。
【００３６】
手動でＺアライメントを行う場合、処理部９は、ラインセンサー１３に対する光の投影位置に基づく情報を表示画面１０ａに表示させる。この情報については後述する。検者は、この情報を参照しつつ光学系の移動操作を行う。
【００３７】
（ＸＹアライメント系２）
ＸＹアライメント系２は、観察系５の光軸に直交する方向（左右方向（水平方向、Ｘ方向）、上下方向（Ｙ方向））のアライメントを行うための光（赤外光）を被検眼Ｅに投射する。
【００３８】
ＸＹアライメント系２は、ハーフミラー２２により観察系５から分岐された光路に設けられたＸＹアライメント光源２１を含む。ＸＹアライメント光源２１から出力された光は、リレーレンズ２３を通過し、ハーフミラー２２により反射される。ハーフミラー２２により反射された光は、観察系５の光軸上の対物レンズ５１の前側焦点位置で集光された後、ダイクロイックミラー５２を透過し、対物レンズ５１により平行光とされ、角膜Ｋに投射される。
【００３９】
角膜Ｋの表面にて反射された光は、角膜Ｋの表面の反射焦点位置近傍にプルキンエ像を形成する。ＸＹアライメント光源２１は、対物レンズ５１の焦点位置に対して光学的に略共役な位置に配置されている。角膜Ｋによる反射光は、観察系５を通じてエリアセンサー５６に導かれる。エリアセンサー５６の受光面には、ＸＹアライメント光源２１から出力された光のプルキンエ像（輝点）による像Ｂｒが形成される。
【００４０】
処理部９は、図１に示すように、輝点像Ｂｒと前眼部像Ｅ´とアライメントマークＡＬとを表示画面１０ａに表示させる。手動でＸＹアライメントを行う場合、検者は、アライメントマークＡＬ内に輝点像Ｂｒを誘導するように光学系の移動操作を行う。自動でアライメントを行う場合、処理部９は、アライメントマークＡＬに対する輝点像Ｂｒの偏位を打ち消すように、光学系を移動するための機構を制御する。
【００４１】
（プラチド指標投影系３）
プラチド指標投影系３は、角膜Ｋの形状を測定するための同心円状の複数のリング状光束（赤外光）を角膜Ｋに投影する。プラチド指標投影系３は、プラチド板３１と、プラチド光源３２とを含む。
【００４２】
プラチド板３１は、対物レンズ５１の近傍に配置されている。プラチド板３１には、同心円状の複数の透光部（リングパターン）が形成されている。プラチド板３１の背面側（対物レンズ５１側）には、プラチド光源３２が設けられている。プラチド光源３２は、例えば、複数の発光ダイオード（ＬＥＤ）を含む。
【００４３】
プラチド光源３２からの光でプラチド板３１を照明することにより、角膜Ｋに同心円状の複数のリング状光束が投影される。その反射光（プラチドリング像）はエリアセンサー５６により前眼部像とともに検出される。処理部９は、検出されたプラチドリング像を基に公知の演算を行うことで角膜形状パラメータを算出する。なお、プラチド板の代わりにケラト板が配置されていてもよい。
【００４４】
（視標投影系４）
視標投影系４は、固視標や自覚検査用視標等の各種視標を被検眼Ｅに呈示する。視標チャート４２は、処理部９からの制御を受け、視標を表すパターンを表示する。光源４１から出力された光（可視光）は、視標チャート４２を背面から照明する。視標チャート４２を通過した光は、リレーレンズ４３及びフィールドレンズ４４を通過し、反射ミラー４５により反射され、ダイクロイックミラー６８を透過し、ダイクロイックミラー５２により反射される。ダイクロイックミラー５２により反射された光は、対物レンズ５１を通過して眼底Ｅｆに投射される。それにより、視標チャート４２に提示されているパターンの視標像が眼底Ｅｆに投影される。
【００４５】
移動ユニット４６は、光源４１と視標チャート４２とを含む。移動ユニット４６は、視標投影系４の光軸に沿って移動可能である。眼底Ｅｆに対して光学的に略共役な位置に視標チャート４２が配置されるように、移動ユニット４６の位置が調整される。
【００４６】
視標チャート４２は、処理部９からの制御を受け、被検眼Ｅを固視させるための固視標を表すパターンを表示することが可能である。視標チャート４２における固視標パターンの表示位置を変更することによって固視位置を変更することができる。それにより、被検眼Ｅの視線や調節を誘導することができる。
【００４７】
視標チャート４２は、例えば、液晶パネルやエレクトロルミネッセンス（ＥＬ）などを利用した電子表示デバイス、又は、回転するガラス板等に描画された複数の視標を光軸上に選択的に配置可能なターレットタイプの光学部材である。
【００４８】
視標投影系４は、前述の視標とともにグレアー光を被検眼Ｅに投影するためのグレアー検査光学系を含んでもよい。
【００４９】
自覚検査を行うとき、処理部９は、事前に行われた他覚測定の結果に基づき移動ユニット４６を制御する。処理部９は、検者又は処理部９により選択された視標を視標チャート４２に表示させる。それにより、当該視標が被検者に呈示される。被検者は視標に対する応答を行う。応答内容の入力を受けて、処理部９は、更なる制御や、自覚検査値の算出を行う。例えば、視力測定において、処理部９は、ランドルト環等に対する応答に基づいて、次の視標を選択して呈示し、これを繰り返し行うことで自覚屈折力値を決定する。
【００５０】
他覚測定（他覚屈折測定など）においては、風景チャートが眼底Ｅｆに投影される。風景チャートを被検者に固視させつつアライメントが行われ、雲霧視状態で眼屈折力が測定される。
【００５１】
（収差測定投射系６、収差測定受光系７）
収差測定投射系６及び収差測定受光系７は、被検眼Ｅの眼球収差特性の測定に用いられる。収差測定投射系６は、眼球収差特性測定用の光束（赤外光）を眼底Ｅｆに向けて投射する。収差測定受光系７は、収差測定投射系６により投射された光束の被検眼Ｅからの戻り光を受光する。収差測定受光系７により得られた受光結果から被検眼Ｅの眼球収差特性が求められる。
【００５２】
光源６１は、例えば、８５０ｎｍの近傍の波長の光を発する点光源である。光源６１としては、例えば、スーパールミネッセントダイオード（ＳＬＤ）、レーザーダイオード（ＬＤ）、又は、発光径の小さなＬＥＤが用いられる。
【００５３】
移動ユニット６９は、光源６１を含む。移動ユニット６９は、収差測定投射系６の光軸に沿って移動可能である。光源６１は、眼底Ｅｆに対して光学的に略共役な位置に配置される。
【００５４】
光源６１から出力された光（測定光）は、リレーレンズ６２及びフィールドレンズ６３を通過し、偏光板６４を透過する。偏光板６４は、例えば、測定光の偏光成分のうちｐ偏光成分のみを透過させる。偏光板６４を透過した測定光は、絞り６５の開口を通過し、ｐ偏光成分を反射する偏光ビームスプリッター６６により反射され、ロータリープリズム６７を通過し、ダイクロイックミラー６８により反射される。ダイクロイックミラー６８により反射された測定光は、ダイクロイックミラー５２により反射され、対物レンズ５１を通過して眼底Ｅｆに投射される。
【００５５】
ロータリープリズム６７は、眼底Ｅｆの血管や疾患部位における反射率のムラを平均化させたり、ＳＬＤ等によるスペックルノイズを軽減したりするために用いられる。
【００５６】
なお、光源６１の位置に光源装置を配置する代わりに、外部に設けられた光源装置からの光を光ファイバーで眼科装置に導入する構成を採用してもよい。この場合、光ファイバーの眼科装置側の端面（出射端）が、眼底Ｅｆに対して光学的に略共役な位置に配置される。
【００５７】
一般に、偏光板６４によりｐ偏光成分のみとされて被検眼Ｅに入射した測定光は、眼底Ｅｆでの散乱・反射によって偏光状態が変更される。したがって、被検眼Ｅからの戻り光は、ｐ偏光成分とｓ偏光成分とが混在した光となる。このような戻り光は、対物レンズ５１を通過し、ダイクロイックミラー５２及び６８により反射され、ロータリープリズム６７を通過し、偏光ビームスプリッター６６に導かれる。偏光ビームスプリッター６６は、戻り光の偏光成分のうちｓ偏光成分のみを透過させる。偏光ビームスプリッター６６を透過したｓ偏光成分は、フィールドレンズ７１を通過し、反射ミラー７２により反射され、リレーレンズ７３を通過し、移動ユニット７７に導かれる。
【００５８】
ここで、対物レンズ５１や角膜Ｋにて正反射した光は、ｐ偏光成分を維持している。このような正反射光は、偏光ビームスプリッター６６により反射されるため、収差測定受光系７に入射しない。これにより、ゴーストの発生を軽減することができる。
【００５９】
移動ユニット７７は、コリメータレンズ７４と、ハルトマン板７５と、エリアセンサー７６とを含む。エリアセンサー７６としては、例えば、Ｃｈａｒｇｅ  Ｃｏｕｐｌｅｄ  Ｄｅｖｉｃｅ（ＣＣＤ）イメージセンサー、又は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサーが用いられる。
【００６０】
移動ユニット７７は、収差測定受光系７の光軸に沿って移動可能である。移動ユニット７７は、ハルトマン板７５が被検眼Ｅの瞳孔に対して光学的に略共役な位置に配置されるように、且つ、コリメータレンズ７４の前側焦点位置が眼底Ｅｆに対して光学的に略共役な位置に配置されるように、被検眼Ｅの眼屈折力値に応じて光軸に沿って移動される。
【００６１】
移動ユニット７７に導かれた光は、コリメータレンズ７４を通過し、ハルトマン板７５に入射する。
【００６２】
ハルトマン板７５の例を図２Ａ及び図２Ｂに示す。ハルトマン板７５は、被検眼Ｅからの戻り光をパターン像として検出するための光学素子であり、戻り光から複数の集束光を生成するように機能する。ハルトマン板７５は、２次元的に配列された複数のマイクロレンズ７５Ａ（マイクロレンズアレイ）を含む。複数のマイクロレンズ７５Ａは、例えば格子状に配列されている。各マイクロレンズ７５Ａに入射した光は、屈折されて集束光として出射される。
【００６３】
図２Ａに示すハルトマン板７５は、エッチングやモールド等によりガラス板に形成された複数のマイクロレンズ７５Ａを含む。このようなハルトマン板７５によれば、各マイクロレンズ７５Ａの開口を大きくとることができ、信号の強度を高められるというメリットがある。
【００６４】
一方、図２Ｂに示すハルトマン板７５では、マイクロレンズ７５Ａの周囲に、クロム遮光膜等によって遮光部７５Ｂが形成されている。本例における複数のマイクロレンズ７５Ａは、例えば、格子状、同心円状、又は、他のパターンで配列されている。
【００６５】
エリアセンサー７６の受光面は、複数のマイクロレンズ７５Ａの焦点面に配置されている。エリアセンサー７６は、ハルトマン板７５によって生成された複数の集束光を検出する。
【００６６】
図３に示すように、エリアセンサー７６の受光面には、複数のマイクロレンズ７５Ａにより生成された複数の集束光に対応する複数の点像Ａ１、・・・、Ｂ１、・・・、Ｃ１、・・・が形成される。複数の点像Ａ１、・・・、Ｂ１、・・・、Ｃ１、・・・は、被検眼Ｅの瞳孔Ｅｐにおける測定光の投射領域ａ１、・・・、ｂ１、・・・、ｃ１、・・・に対応する。
【００６７】
上記のように眼底Ｅｆとコリメータレンズ７４の前側焦点位置とが互いに光学的に共役な関係にある場合、複数の点像Ａ１、・・・、Ｂ１、・・・、Ｃ１、・・・の重心位置の間隔が、複数のマイクロレンズ７５Ａの中心間距離（光軸間距離）と略等しくなる。
【００６８】
このように、エリアセンサー７６は、ハルトマン板７５により形成された点像群を検出する。処理部９は、点像群を検出したエリアセンサー７６からの検出信号と、点像群の検出位置を示す位置情報とを取得する。処理部９は、点像群の位置を解析することにより、ハルトマン板７５に投射された光の波面収差を求める。一般的にはゼルニケの多項式に近似することで、被検眼Ｅの眼球収差特性（波面収差特性）が求められる。処理部９は、求められた眼球収差特性から被検眼Ｅの眼屈折力値を求めることが可能である。
【００６９】
処理部９は、算出された眼屈折力値に基づいて、光源６１と眼底Ｅｆとコリメータレンズ７４の前側焦点位置とが互いに光学的に共役になるように、移動ユニット６９及び移動ユニット７７をそれぞれ光軸方向に移動させることができる。更に、処理部９は、移動ユニット６９及び移動ユニット７７の移動に連動して、移動ユニット４６を光軸方向に移動させることが可能である。また、移動ユニット６９、移動ユニット７７及び移動ユニット４６のうちのいずれか２つを一体的に構成し、２つの駆動機構によってこれら３つの移動ユニットを移動するようにしてもよい。或いは、移動ユニット６９、移動ユニット７７及び移動ユニット４６を一体的に構成し、単一の駆動機構によってこれら３つの移動ユニットを移動するようにしてもよい。
【００７０】
（処理系の構成）
実施形態に係る眼科装置の処理系について説明する。眼科装置の処理系の機能的構成の例を図４に示す。
【００７１】
ヘッド部２００には、Ｚアライメント系１、ＸＹアライメント系２、プラチド指標投影系３、視標投影系４、観察系５、収差測定投射系６、収差測定受光系７等の各種光学系が設けられている。更に、ヘッド部２００には、光学部材や光学素子の動作や移動を担う要素（機構、電気回路等）が設けられている。ヘッド部２００に設けられた光学系の動作や、それに付随する要素の動作は、制御部１００によって制御される。
【００７２】
移動機構２１０は、ヘッド部２００を３次元的に移動する。移動機構２１０は、前述の架台を前後上下左右に移動する。移動機構２１０は、例えば、電気的に又は非電気的に駆動される。
【００７３】
電気的駆動の場合、移動機構２１０は、モーターと、このモーターにより発生された駆動力に基づきヘッド部２００を移動する機構とを含む。更に、移動機構２１０の動作は、制御部１００によって制御される。
【００７４】
非電気的駆動の場合、移動機構２１０は、操作レバー等に対して検者が印加した力を伝達してヘッド部２００を移動する機構を含む。この場合、移動機構２１０は、モーターを含まなくてよい。
【００７５】
移動機構２１０は、例えば、ヘッド部２００の位置を検出するセンサー、又は、移動機構２１０の状態を検出するセンサーを備えていてよい。センサーからの出力は、制御部１００に送られる。
【００７６】
制御部１００、データ処理部３００、及び通信部５００は、例えば、処理部９に設けられる。ユーザインターフェイス部４００は、例えば、処理部９、眼科装置の筐体等に設けられる。或いは、ユーザインターフェイス部４００は、眼科装置本体に接続されたデバイスを含んでもよい。
【００７７】
（制御部１００）
制御部１００は、眼科装置の各部を制御するプロセッサを含む。制御部１００は、表示制御部１０１と、報知制御部１０２と、記憶部１１０とを含む。
【００７８】
記憶部１１０には、眼科装置を制御するためのコンピュータプログラムがあらかじめ格納されている。コンピュータプログラムには、光学系制御プログラム、ユーザインターフェイス制御プログラム等が含まれる。このようなコンピュータプログラムにしたがって制御部１００は各種の制御を実行する。
【００７９】
Ｚアライメント系１に対する制御は、Ｚアライメント光源１１の制御、ラインセンサー１３の制御などを含む。ＸＹアライメント系２に対する制御は、ＸＹアライメント光源２１の制御などを含む。プラチド指標投影系３に対する制御は、プラチド光源３２の制御などを含む。視標投影系４に対する制御は、光源４１の制御、視標チャート４２の制御、移動ユニット４６の移動制御などを含む。観察系５に対する制御は、エリアセンサー５６の制御、図示しない前眼部照明光源の制御などを含む。収差測定投射系６に対する制御は、光源６１の制御、ロータリープリズム６７の制御、移動ユニット６９の制御などを含む。収差測定受光系７に対する制御は、エリアセンサー７６の制御、移動ユニット７７の移動制御などを含む。
【００８０】
（表示制御部１０１）
表示制御部１０１は、ユーザインターフェイス部４００の表示部４１０に各種情報を表示させる。表示部４１０に表示される情報には、眼科装置により取得された情報や、外部から取得された情報がある。眼科装置により取得された情報の例として、他覚測定データ、これに基づく画像や情報、自覚検査データ、これに基づく画像や情報などがある。
【００８１】
詳細については後述するが、表示制御部１０１は、アライメントに関する情報と、収差測定投射系６及び収差測定受光系７により検出された点像群（パターン像）とを表示部４１０に表示させることができる。
【００８２】
（報知制御部１０２）
報知制御部１０２は、所定の情報を報知するための制御を行う。例えば、報知制御部１０２は、パターン像にゴースト（フレア、ノイズ光）が含まれるときに報知を行うことができる。
【００８３】
報知の態様は任意である。一般に、報知は情報の出力を含み、その例として、表示出力、音声出力、印刷出力、情報付帯などがある。
【００８４】
表示出力を行う場合、報知制御部１０２は、表示部４１０及び／又は外部の表示デバイスに、所定の視覚情報を表示させる。表示出力のみが採用される場合、報知制御部１０２は表示制御部１０１と一体であってよい。
【００８５】
音声出力を行う場合、報知制御部１０２は、図示しない音声出力装置に所定の聴覚情報を出力させる。
【００８６】
印刷出力を行う場合、報知制御部１０２は、図示しない印刷装置に所定の視覚情報を出力させる。
【００８７】
情報付帯を行う場合、報知制御部１０２は、電子カルテデータ、測定データ、画像データ、解析データ等の所定の医療データに、所定の視覚情報（及び聴覚情報）を付帯させる。情報付帯は、医療データのフォーマットや通信プロトコルに準拠した方法で実行される。例えば、報知制御部１０２は、電子カルテシステムのフォーマット、画像通信規格（ＤＩＣＯＭ等）のフォーマットなどにしたがって、医療データに情報を付帯させる。
【００８８】
（データ処理部３００）
データ処理部３００は、各種のデータ処理を実行するプロセッサを含む。データ処理部３００は、記憶部１１０に格納されているコンピュータプログラム、データ処理部３００内の記憶装置に格納されているコンピュータプログラム、外部から提供されたコンピュータプログラムなどにしたがって動作する。
【００８９】
データ処理部３００は、光学系により取得されたデータを処理して検査データ（測定データ、画像データ、解析データ等）を生成することができる。
【００９０】
例えば、データ処理部３００は、Ｚアライメント系１のラインセンサー１３から出力された信号を処理することで、ラインセンサー１３に対する光の投影位置を求めることができる。更に、データ処理部３００は、求められた投影位置に基づいて、移動機構２１０の制御内容（Ｚ方向における移動方向及び移動量）を求めることができる。制御部１００は、データ処理部３００により求められた制御内容に基づき移動機構２１０を制御することによりＺアライメントを行うことができる。
【００９１】
また、データ処理部３００は、観察系５のエリアセンサー５６から出力された映像信号を処理することで、ＸＹアライメント系２に基づく輝点像Ｂｒの位置を求めることができる（図１を参照）。更に、データ処理部３００は、求められた輝点像Ｂｒの位置に基づいて、移動機構２１０の制御内容（Ｘ方向における移動方向及び移動量、並びに、Ｙ方向における移動方向及び移動量）を求めることができる。制御部１００は、データ処理部３００により求められた制御内容に基づき移動機構２１０を制御することによりＸＹアライメントを行うことができる。
【００９２】
また、データ処理部３００は、エリアセンサー５６から出力された映像信号を処理することで、プラチド指標投影系３に基づくプラチドリング像を検出することができる。更に、データ処理部３００は、検出されたプラチドリング像に公知の演算処理を適用することにより、被検眼Ｅの角膜形状パラメータを求めることができる。
【００９３】
また、データ処理部３００は、収差測定受光系７のエリアセンサー７６から出力された信号に公知の演算処理を適用することにより、被検眼Ｅの眼球収差特性を求めることができる。
【００９４】
データ処理部３００は、判定部３１０を含む。判定部３１０は、収差測定投射系６及び収差測定受光系７によって検出されたパターン像（点像群）を解析してゴーストの有無を判定する。
【００９５】
ゴーストの有無の判定は、例えば、パターン像におけるゴーストの存在／不存在の判定と、閾値以上のゴーストがパターン像に存在するか否かの判定とのうち、少なくとも一方を含んでよい。前者は、眼内レンズ等に起因するノイズ光（ゴースト）がパターン像に混入しているか否かの判定である。一方、後者は、眼内レンズ等に起因するノイズ光（ゴースト）がどの程度パターン像に混入しているかを基準とした判定である。
【００９６】
第１実施形態の判定部３１０は、例えば、収差測定投射系６及び収差測定受光系７によって検出されたパターン像（点像群）の輝度が所定条件を満足するか判定するように構成される。この所定条件は予め設定される。このような判定部３１０は、第１判定部に相当する。以下、判定部３１０が実行する処理の例を説明する。
【００９７】
第１の例において、判定部３１０は、パターン像を構成する複数の画素のうち、閾値以上の輝度値を有する画素が存在するか否か判定する。そのような画素が存在する場合、判定部３１０は、上記の所定条件が満足されたと判定する。
【００９８】
第２の例において、判定部３１０は、パターン像を構成する複数の画素のうち、閾値以上の輝度値を有する画素の個数を求める。更に、判定部３１０は、求められた個数が所定個数以上であるか判定する。この個数が所定個数以上であると判定された場合、判定部３１０は、上記の所定条件が満足されたと判定する。
【００９９】
第３の例において、判定部３１０は、パターン像を構成する複数の画素の少なくとも一部の画素について、輝度値の統計値を求める。この統計値は、例えば次のいずれかであってよい：積分値；平均；中央値；最頻値；分散；標準偏差；最大値；最大値と最小値との差。判定部３１０は、求められた統計値を閾値と比較する。統計値が閾値以上であると判定された場合、判定部３１０は、上記の所定条件が満足されたと判定する。なお、適用される統計値の種別に応じて、閾値は事前に設定される。
【０１００】
パターン像が所定条件を満足すると判定部３１０により判定されたとき、報知制御部１０２は、この判定結果を報知することができる。また、パターン像が所定条件を満足すると判定部３１０により判定されたとき、表示制御部１０１は、パターン像の表示を開始することができる。
【０１０１】
（ユーザインターフェイス部４００）
ユーザインターフェイス（ＵＩ）部４００は、ユーザ（検者、被検者）と眼科撮影装置との間で情報のやりとりを行うための機能を備える。ユーザインターフェイス部４００は、表示部４１０と操作部４２０とを含む。
【０１０２】
表示部４１０は、例えば液晶ディスプレイ（ＬＣＤ）を含む。表示部４１０は、例えば、図１に示す表示装置１０を含む。眼科装置は表示部４１０を含まなくてもよい。この場合、眼科装置に接続された外部表示装置（例えば表示装置１０）が使用される。
【０１０３】
操作部４２０は、眼科装置を操作するために使用され、各種のハードウェアキー及び／又はソフトウェアキーを含む。ハードウェアキーは、例えば、レバー、ジョイスティック、ボタン、スイッチなどを含む。ソフトウェアキーは、例えば、タッチパネル式の表示画面（例えば表示画面１０ａ）に表示されるボタン、アイコン、メニューなどを含む。
【０１０４】
（通信部５００）
通信部５００は、図示しない外部装置との間でデータの送信／受信を行うための通信インターフェイスを含む。
【０１０５】
〈動作〉
実施形態に係る眼科装置の動作について説明する。動作の例を図５に示す。
【０１０６】
（Ｓ１：前眼部の動画撮影を開始）
制御部１００は、観察系５を制御して被検眼Ｅの前眼部の動画撮影を開始する。それにより、エリアセンサー５６から制御部１００への映像信号の供給が開始される。映像信号は、所定の時間間隔で繰り返し供給される。
【０１０７】
（Ｓ２：アライメントデータの取得を開始）
制御部１００は、Ｚアライメント系１を制御して、被検眼Ｅに対するＺアライメントのための光（Ｚアライメント指標）の投射を開始する。それにより、Ｚアライメント系１のラインセンサー１３から制御部１００への信号の供給が開始される。この信号は、所定の時間間隔で繰り返し供給される。
【０１０８】
更に、制御部１００は、ＸＹアライメント系２を制御して、被検眼Ｅに対するＸＹアライメントのための光（ＸＹアライメント指標）の投射を開始する。それにより、エリアセンサー５６は、前眼部像とともにＸＹアライメント指標の像を検出する。つまり、ＸＹアライメント指標の像に相当する信号が、エリアセンサー５６から制御部１００に供給される映像信号に含まれる。
【０１０９】
（Ｓ３：パターン像の検出を開始）
制御部１００は、収差測定投射系６を制御して、被検眼Ｅに対する測定光の投射を開始する。それにより、収差測定受光系７は、ハルトマン板７５により生成される点像群（パターン像）の検出を開始する。収差測定受光系７は、パターン像の検出を所定の時間間隔で繰り返す。パターン像の検出結果（映像信号）は、所定の時間間隔で繰り返し制御部１００に供給される。
【０１１０】
ステップＳ１〜３に示す３つの処理の実行順序は本例に限定されない。例えば、これら３つの処理を任意の順序で順次に実行することができる。或いは、これら３つの処理のうちのいずれか２つ又は全てを並行して行うことができる。
【０１１１】
これら３つの処理とは異なる処理を更に行うことも可能である。例えば、制御部１００は、視標投影系４を制御して、被検眼Ｅに固視標を呈示することができる。
【０１１２】
（Ｓ４：前眼部像・アライメント情報・パターン像の表示を開始）
表示制御部１０１は、観察系５のエリアセンサー５６から所定の時間間隔で供給される映像信号に基づいて、前眼部の動画像（前眼部像Ｅ´）と、ＸＹアライメント指標の像（輝点像Ｂｒ）とを、表示部４１０に表示させる。
【０１１３】
更に、表示制御部１０１は、収差測定受光系７から所定の時間間隔で供給される映像信号に基づいて、パターン像を表示部４１０に表示させる。
【０１１４】
ステップＳ４で表示される情報の例を図６に示す。表示制御部１０１は、表示部４１０に画面６００を表示させる。符号６０１は、観察系５からの映像信号に基づく前眼部像を示す。表示制御部１０１は、観察系５からの映像信号の供給レートに応じて、前眼部像６０１のフレームを更新する。それにより、前眼部像６０１は動画像として表示される。
【０１１５】
符号６１１は、ＸＹアライメントの目標範囲であるＸＹアライメントマークを示す。ＸＹアライメントマーク６１１は、所定のサイズを有し、前眼部像６０１のフレームの所定の位置に重畳表示される。
【０１１６】
符号６１２は、輝点像として表示されるＸＹアライメント指標像を示す。前眼部像６０１のフレームの更新にしたがって、換言すると、ＸＹアライメントの状態の経時的変化にしたがって、前眼部像６０１のフレームにおけるＸＹアライメント指標像６１２の位置が変化する。
【０１１７】
符号６２０は、Ｚアライメントの状態（ラインセンサー１３に対する光の投影位置）を表すＺアライメント指標像を示す。Ｚアライメント指標像６２０の個数が、Ｚアライメントのずれ量の大きさを表す。
【０１１８】
更に、表示制御部１０１は、収差測定受光系７からの映像信号に基づいてパターン像６３０を表示させる。表示制御部１０１は、収差測定受光系７からの映像信号の供給レートに応じて、パターン像６３０のフレームを更新する。それにより、パターン像６３０は動画像として表示される。
【０１１９】
（Ｓ５：ゴーストの判定を開始）
ステップＳ３におけるパターン像の検出が開始されたことを受けて、制御部１００は、判定部３１０によるゴーストの有無の判定を開始させる。
【０１２０】
（Ｓ６：マニュアルアライメントを開始）
画面６００に表示されたら、検者は、マニュアルアライメントを開始することができる。アライメントの操作は、操作部４２０を用いて行われる。
【０１２１】
（Ｓ７：ヘッド部を移動）
検者は、画面６００に表示されている情報を参照しつつアライメントを行う。具体的には、検者は、前眼部像６０１によって被検眼Ｅの状態を把握しつつ、次の操作を行う：ヘッド部２００をＸ方向及びＹ方向に移動させて、ＸＹアライメント指標像６１２をＸＹアライメントマーク６１１内に誘導する；ヘッド部２００をＺ方向に移動させて、Ｚアライメント指標像６２０の個数を減少させる。なお、ヘッド部２００の移動は、移動機構２１０を制御することによって行われる。
【０１２２】
本例では、このようなマニュアルアライメントにおいて、検者は、パターン像６３０を参照することができる。例えば、被検眼ＥがＩＯＬ眼である場合、眼内レンズでの反射に起因するノイズ光がパターン像６３０に混入することがある。典型的には、このようなノイズ光は、測定光の眼底反射光よりも明るい。したがって、眼内レンズに起因するノイズ光が混入している場合、パターン像６３０の一部の輝度が異常に高くなる。検者は、パターン像６３０を観察しつつアライメントを行うことで、ノイズ光が混入しない位置に、又は、許容できる程度のノイズ光が混入している位置に、ヘッド部２００を配置させることができる。
【０１２３】
（Ｓ８：ゴーストあり？）
ステップＳ５で開始されたゴーストの判定において、パターン像にゴーストが含まれていないと判定された場合（Ｓ８：Ｎｏ）、処理はステップＳ１０に移行する。一方、パターン像にゴーストが含まれていると判定された場合（Ｓ８：Ｙｅｓ）、処理はステップＳ９に移行する。
【０１２４】
（Ｓ９：報知）
ステップＳ８においてパターン像にゴーストが含まれていると判定された場合（Ｓ８：Ｙｅｓ）、報知制御部１０２は、ゴーストが存在することを表す報知情報を出力するための制御を行う。本ステップにおける報知は、例えば、ゴーストが存在することを表すメッセージ又は画像の表示、警告音の出力等を含んでよい。
【０１２５】
本ステップにおける報知は、画面６００に表示されているオブジェクトの表示態様の切り替えであってもよい。例えば、報知制御部１０２は、画面６００に表示されているアライメント情報の表示態様を変更することができる。例えば、ゴーストが存在すると判定された場合、報知制御部１０２は、ＸＹアライメントマーク６１１の表示色を変更したり、ＸＹアライメントマーク６１１を点滅表示させたりすることができる。或いは、所定閾値以上のゴーストが存在すると判定された場合、報知制御部１０２は、アライメント情報の表示態様を変更することができる。
【０１２６】
また、パターン像に含まれているゴーストの程度に応じて、報知情報の態様を切り替えることができる。例えば、パターン像に含まれているゴーストの程度に応じて、ＸＹアライメントマーク６１１の表示色を「青」、「黄」、「赤」等に切り替えることができる。
【０１２７】
このような報知によれば、検者は、パターン像にゴーストが混入していることや、どの程度のゴースト光が混入しているかを、容易に把握することができる。特に、パターン像の観察に不慣れな検者であっても、パターン像に異常が生じていることを容易に把握することができる。
【０１２８】
（Ｓ１０：アライメント完了？）
このようなマニュアルアライメントを行うことで、検者は、ヘッド部２００を所望の位置に配置させる。理想的には、ＸＹアライメント指標像６１２がＸＹアライメントマーク６１１内に配置され、Ｚアライメント指標像６２０が表示されず、且つ、ゴーストを含まないパターン像６３０が得られる位置に、ヘッド部２００が配置される。
【０１２９】
これに対し、ＸＹアライメントの状態、Ｚアライメントの状態、及び、パターン像６３０の状態のうちの少なくともいずれか１つについて「妥協」しなければならない場合がある。例えば、ノイズ光の無い（又はノイズ光が少ない）パターン像６３０を得るために、ＸＹアライメント指標像６１２がＸＹアライメントマーク６１１の枠上又は枠外に配置された状態を許容する場合がある。また、パターン像６３０の状態よりもアライメントの状態を優先する場合がある。
【０１３０】
アライメント完了の判断は、検者によってなされる。検者は、操作部４２０を用いて所定の操作を行うことによってアライメント完了を指示することが可能である（Ｓ１０：Ｙｅｓ）。
【０１３１】
（Ｓ１１：被検眼を測定）
アライメント完了の指示が入力されると、制御部１００は、光学系等を制御して被検眼Ｅの測定を行う。本例では、次のような一連の処理によって測定を行うことができる。
【０１３２】
なお、測定が開始される前に、画面６００に提示されている情報の少なくとも一部を変更することができる。例えば、パターン像６３０の表示を終了させることができる。逆に、測定が行われている期間の少なくとも一部において、パターン像６３０を表示させることができる。
【０１３３】
ここで、パターン像６３０の表示のオン／オフを操作部４２０を用いて設定できるように構成することができる。例えば、操作部４２０は、パターン像６３０の表示をオンするためのハードウェアキー又はソフトウェアキーと、パターン像６３０の表示をオフするためのハードウェアキー又はソフトウェアキーとの一方又は双方を含んでいてよい。
【０１３４】
ユーザが「表示オフ」を設定した場合には光源６１が消灯され、「表示オン」を設定した場合には光源６１が点灯される。本例では、「表示オン」が設定される。
【０１３５】
また、詳しくは後述するが、パターン像６３０の表示のオン／オフを自動で選択するように眼科装置を構成することも可能である。
【０１３６】
さて、本例の測定では、まず仮測定が行われる。仮測定では、例えば、風景チャート等の固視標が用いられる。この固視標は、視標チャート４２に表示され、アライメントの開示時から被検眼Ｅに提示されている。制御部１００による制御の下に、収差測定投射系６及び収差測定受光系７は、被検眼Ｅに測定光を投射し、その戻り光に基づくパターン像（点像群）をエリアセンサー７６にて検出する。
【０１３７】
データ処理部３００は、エリアセンサー７６により検出されたパターン像に基づいて被検眼Ｅの屈折力値を求める。更に、データ処理部３００（又は制御部１００）は、算出された眼屈折力値に基づいて、移動ユニット４６、６９及び７７のそれぞれの移動目標位置を決定する。制御部１００は、決定された移動目標位置（被検眼Ｅの屈折力を打ち消す位置）に移動ユニット４６、６９及び７７のそれぞれを配置させる。ここで、移動ユニット４６、６９及び７７が好適な位置に配置されるまで、上記制御を繰り返すようにしてもよい。なお、前述したように、移動ユニット４６、６９及び７７を個別に移動させてもよいし、これらのうちのいずれか２つを一体的に移動させてもよいし、これら全てを一体的に移動させてもよい。
【０１３８】
移動ユニット４６、６９及び７７が被検眼Ｅの屈折力に対応する位置に配置されたら、制御部１００は、少なくとも移動ユニット４６を当該位置から例えば１．５ディオプターだけ遠視側に移動させる。これにより、被検眼Ｅを雲霧させることができる。
【０１３９】
続いて、処理は本測定に移行する。制御部１００による制御の下に、収差測定投射系６及び収差測定受光系７は、測定光の戻り光に基づくパターン像（点像群）をエリアセンサー７６にて再び検出する。データ処理部３００は、このパターン像を解析することで、被検眼Ｅの眼球収差特性を測定する。更に、プラチド指標投影系３を用いた角膜形状測定や、視標投影系４を用いた自覚検査などを行うことができる。
【０１４０】
（Ｓ１２：アライメントずれ≧閾値？）
報知制御部１０２は、アライメントのずれ量が閾値以上であるか判定する。この閾値は、例えば、測定の種別、眼科装置の種別、要求される測定精度などに基づいて、予め設定される。
【０１４１】
判定は、測定後、測定前、及び測定中のいずれかのタイミングで実行される。また、アライメントのずれ量の検出も、測定後、測定前、及び測定中のいずれかのタイミングで実行される。判定において参照されるアライメントのずれ量は、ステップＳ６〜Ｓ１０の間において取得された値でもよいし、その後に新たに取得された値でもよい。
【０１４２】
アライメントのずれ量の検出は、例えば、ＸＹアライメント指標像６１２を利用して行われる。典型的には、データ処理部３００が、フレームの所定位置（例：ＸＹアライメントマーク６１１の中心又は枠）に対するＸＹアライメント指標像６１２の偏位を求める。報知制御部１０２は、この偏位の大きさを閾値と比較する。Ｚアライメントのずれ量を考慮する場合も同様の判定を行うことができる。
【０１４３】
アライメントのずれ量が閾値以上であると報知制御部１０２が判定した場合（Ｓ１２：Ｙｅｓ）、処理は、ステップＳ１３に移行する。一方、アライメントのずれ量が閾値未満であると報知制御部１０２が判定した場合（Ｓ１２：Ｎｏ）、処理は、ステップＳ１３をスキップしてステップＳ１４に移行する。
【０１４４】
（Ｓ１３：報知情報を表示）
アライメントのずれ量が閾値以上であると判定された場合（Ｓ１２：Ｙｅｓ）、報知制御部１０２は、所定の報知情報を表示部４１０に表示させる。この報知情報は、例えば、アライメントが通常よりも不十分な状態で測定が行われたことを示す情報、又は、測定結果の信頼性（確度、精度など）が通常よりも低いことを示す情報を含む。
【０１４５】
なお、前述したように、報知の態様は表示には限定されず、音声出力、印刷出力、情報付帯などの任意の態様が含まれていてよい。
【０１４６】
（Ｓ１４：測定結果を表示）
表示制御部１０１は、ステップＳ１１の測定により取得されたデータを表示部４１０に表示させる。ステップＳ１３が行われた場合、表示部４１０には、測定結果と報知情報とが表示される。以上で、本例の説明は終了である。
【０１４７】
〈効果〉
実施形態に係る眼科装置が奏する効果の幾つかについて説明する。
【０１４８】
実施形態に係る眼科装置は、被検眼を光学的に検査するための機能を備える。更に、実施形態に係る眼科装置は、次のような光学系、アライメント系、及び判定部を含む。
【０１４９】
光学系は、被検眼の眼底に向けて光束を投射し、その戻り光をパターン像として検出する。第１実施形態において、光学系は、被検眼の眼底に向けて光束を投射する収差測定投射系６と、この測定光の戻り光をパターン像として検出する収差測定受光系７とを含む。
【０１５０】
アライメント系は、被検眼に対する光学系のアライメントを行うために動作する。第１実施形態において、アライメント系は、マニュアルアライメントのための構成を含んでよい。マニュアルアライメントのための構成は、例えば、操作部４２０、移動機構２１０、及び制御部１００を含む。また、アライメント系は、オートアライメントのための構成を含んでよい。オートアライメントのための構成は、例えば、Ｚアライメント系１、ＸＹアライメント系２、観察系５、移動機構２１０、及び制御部１００を含む。
【０１５１】
判定部は、アライメント系によりアライメントが行われているときに、光学系により検出されたパターン像を解析してゴーストの有無を判定する。第１実施形態において、判定部は、判定部３１０を含む。
【０１５２】
このような実施形態に係る眼科装置は、測定前や測定中にパターン像を解析してゴースト（ノイズ光）が含まれていないか判定するように構成されている。それにより、検者は、眼内レンズ等に起因するノイズ光がパターン像に混入していないか確認することができる。或いは、ゴーストが検出されたときに所望の制御を行うように眼科装置を構成することができる。
【０１５３】
したがって、測定エラーの発生を回避することができ、ＩＯＬ眼等の検査を好適に行うことができる。なお、特許文献１に記載の技術では、測定後にパターン像を表示しているので、このような効果を得ることは不可能である。
【０１５４】
実施形態において、判定部は、光学系により検出されたパターン像の輝度が所定条件を満足するか判定する第１判定部を含んでいてよい。第１実施形態では、判定部３１０が第１判定部に相当する。
【０１５５】
実施形態において、アライメントの後に被検眼の光学的な検査が行われているときに、判定部は、光学系により検出されたパターン像を解析してゴーストの有無を判定することが可能である。
【０１５６】
このような構成によれば、アライメント中だけでなく、検査中（測定中）においてもパターン像の状態（ノイズ光の混入の有無・程度など）を確認することができる。したがって、検査を開始した後にノイズ光の混入や増大が発生した場合に、これを検出することが可能である。
【０１５７】
実施形態において、眼科装置は、パターン像にゴーストが含まれると判定部により判定されたことを報知する報知制御部を含んでいてよい。
【０１５８】
このような構成によれば、ノイズ光がパターン像に混入していることや、所定閾値以上のノイズがパターン像に含まれていることを、検者、被検者、その他の者に知らせることができる。
【０１５９】
実施形態において、光学系は、被検眼からの戻り光からパターン光を生成する光学素子と、生成されたパターン光をパターン像として検出するイメージセンサーとを含んでいてよい。第１実施形態では、戻り光から複数の集束光を生成するハルトマン板７５が光学素子に相当し、複数の集束光を点像群として検出するエリアセンサー７６がイメージセンサーに相当する。なお、光学系の構成はこれに限定されない。例えば、光学系は、リング状の開口又は透過部を有する光学素子と、この光学素子により生成されたリング状のパターン光をリング像として検出するイメージセンサーとを含んでいてよい。ここで、「パターン」は、「配列のパターン」と「形状のパターン」とのいずれか一方又は双方を含んでよい。
【０１６０】
他の実施形態において、光学系は、所定パターンの光束を眼底に向けて投射する投射光学系を含んでいてよい。投射光学系は、例えば、所定パターンの光（例：リング光）、複数の光束、又は走査光束を出力可能に構成される。
【０１６１】
実施形態において、光学系は、パターン像の検出を反復的に実行することができる。更に、判定部は、光学系によるパターン像の検出の反復に応じてゴーストの有無の判定を反復的に実行することができる。
【０１６２】
このような構成によれば、繰り返し取得されるパターン像をリアルタイムで解析してゴーストの有無を判定することができる。それにより、パターン像に混入するノイズ光の状態をより詳細に且つリアルタイムで把握することが可能となる。
【０１６３】
実施形態において、眼科装置は、アライメントが行われているときに、アライメントのための所定の情報と、光学系により検出されたパターン像とを表示手段に表示させる表示制御部を含んでいてよい。第１実施形態において、表示制御部は、表示制御部１０１を含む。また、アライメント情報の例として、第１実施形態は、ＸＹアライメントマーク６１１、ＸＹアライメント指標像６１２、Ｚアライメント指標像６２０などを表示することができる。また、パターン像の例として、パターン像６３０を表示することができる。なお、表示手段は、実施形態に係る眼科装置に含まれてもよいし、含まれなくてもよい。第１実施形態の表示部４１０は、前者の例である。後者の場合、眼科装置に接続された表示デバイスを表示制御部が制御可能な構成が適用される。
【０１６４】
このような構成によれば、アライメント情報だけでなくパターン像も表示することができる。したがって、検者は、パターン像を観察することで、眼内レンズ等に起因するノイズ光がパターン像に混入していないか確認することができる。それにより、測定エラーの発生を回避することができ、ＩＯＬ眼等の検査を好適に行うことができる。なお、特許文献１に記載の技術では、測定後にパターン像を表示しているので、このような効果を得ることは不可能である。
【０１６５】
〈第２実施形態〉
第２実施形態に係る眼科装置は、第１実施形態に係る眼科装置とほぼ同様の構成を備える。特に言及しない限り、第１実施形態と同じ構成が適用されるものとする。なお、これは、第１実施形態と異なる構成を適用することを排除するものではない。
【０１６６】
第２実施形態に係る眼科装置の処理系の構成例を図７に示す。第２実施形態では、第１実施形態のデータ処理部３００の代わりに、データ処理部３０２が設けられる。
【０１６７】
データ処理部３０２は、演算部３２１と、判定部３２２とを含む。演算部３２１は演算部の例であり、判定部３２２は第２判定部の例である。演算部３２１と判定部３２２との組み合わせは、判定部に相当する
【０１６８】
演算部３２１は、光学系により検出されたパターン像を解析して屈折力値を求める。この処理は、第１実施形態と同様にして実行される。演算部３２１により求められた屈折力値は、被検眼Ｅの屈折力を忠実に表すものでない可能性がある。例えば、被検眼ＥがＩＯＬ眼である場合において、眼内レンズに起因するノイズ光（ゴースト）がパターン像に混入し、ゴーストからなる輝点を眼底反射による輝点と誤認して屈折力の演算を行うと、強度遠視や超強度遠視に相当する屈折力値が得られることがある。
【０１６９】
判定部３２２は、演算部３２１により求められた屈折力値が閾値以上であるか判定する。この閾値は、例えば、強度遠視又は超強度遠視に相当する屈折力の範囲に基づいて設定される。一例において、強度遠視（又は超強度遠視）に相当する屈折力の範囲の最小値を、閾値に設定することができる。
【０１７０】
屈折力値が閾値以上であると判定部３２２により判定されたとき、報知制御部１０２は、この判定結果を報知することができる。また、屈折力値が閾値以上であると判定部３２２により判定されたとき、表示制御部１０１は、パターン像の表示を開始することができる。ここで、検者は、パターン像にゴーストが混入しているか否か確認することができる。パターン像にゴーストが混入していない場合、検者は、被検眼Ｅが既定閾値を超える遠視眼であると判断し、判定部３２２により得られた「ゴースト有り」判定を解除することができる。
【０１７１】
このような実施形態によれば、パターン像に基づき算出された屈折力値に応じてゴーストの有無を判定することができる。
【０１７２】
〈第３実施形態〉
第３実施形態に係る眼科装置は、第１実施形態（又は第２実施形態）に係る眼科装置とほぼ同様の構成を備える。特に言及しない限り、第１実施形態と同じ構成が適用されるものとする。なお、これは、第１実施形態と異なる構成を適用することを排除するものではない。
【０１７３】
第３実施形態に係る眼科装置の処理系の構成例を図８に示す。第３実施形態では、第１実施形態の移動機構２１０の代わりに、移動機構２１１が設けられる。移動機構２１１は、電動的に駆動する。具体的には、移動機構２１１は、モーター２１２を含み、モーター２１２により発生された駆動力に基づきヘッド部２００を移動するように構成される。
【０１７４】
更に、第３実施形態では、第１実施形態の制御部１００の代わりに、制御部１００Ａが設けられる。制御部１００Ａは、移動制御部１０３を含む。移動制御部１０３は、アライメントデータ取得部により取得されたデータに基づいて、移動機構２１１のモーター２１２を制御する。移動制御部１０３は、データ処理部３００とともに、移動制御部の一例を構成する。
【０１７５】
ここで、アライメントデータ取得部は、アライメントを行うためのデータを取得するよう構成される。アライメントデータ取得部は、例えば、ＸＹアライメントのためのデータを取得するＸＹアライメント系２及び観察系５を含んでよい。この場合、アライメントデータ取得部は、観察系５からの出力に基づいてＸＹアライメントのずれを求めるデータ処理部３００を更に含んでもよい。
【０１７６】
また、アライメントデータ取得部は、例えば、Ｚアライメントのためのデータを取得するＺアライメント系１を含んでよい。この場合、アライメントデータ取得部は、Ｚアライメント系１からの出力に基づいてＺアライメントのずれを求めるデータ処理部３００を更に含んでもよい。
【０１７７】
移動制御部１０３（及びデータ処理部３００）は、アライメントデータ取得部により取得されたデータに基づきモーター２１２を制御することにより、通常のアライメントを行うことができる。このアライメントは、例えば、第１実施形態と同様のＸＹアライメント及びＺアライメントのいずれか一方又は双方を含んでよい。アライメントを実行するための制御は、第１制御に相当する。
【０１７８】
このようなアライメントを実行した後に、移動制御部１０３（及びデータ処理部３００）は、アライメントデータ取得部により取得されたデータと、収差測定投射系６及び収差測定受光系７により検出されたパターン像とに基づいてモーター２１２を制御することができる。この制御は、第２制御に相当する。第２制御は、第１制御により達成されたアライメント状態を、パターン像を加味して修整するために行われる。このアライメントの修整についても、被検眼に対する光学系の位置を調整する動作であるから、（広義の）アライメントに含まれる。
【０１７９】
第２制御については、例えば、アライメント状態とパターン像の状態とのいずれを優先するかが、予め又は処理中に設定されてよい。或いは、アライメント状態の許容範囲と、パターン像の状態の許容範囲とが、予め又は処理中に設定されてよい。
【０１８０】
アライメント状態は、例えば、フレームの所定位置（例：ＸＹアライメントマーク６１１の中心又は枠）に対するＸＹアライメント指標像６１２の偏位の大きさに基づき評価される。また、アライメント状態は、例えば、ラインセンサー１３の特定の受光素子（例えば、ライン配列の中央に位置する受光素子）の位置に対する、角膜反射光を検出した受光素子の位置の偏位の大きさに基づき評価される。
【０１８１】
パターン像の状態は、例えば、第１実施形態の判定部３１０と同様に、収差測定投射系６及び収差測定受光系７によって検出されたパターン像の輝度に基づき評価される。なお、図８に示すデータ処理部３００は、第１実施形態と同様であるが、第３実施形態のデータ処理部はこれに限定されない。例えば、データ処理部３００の代わりに、第２実施形態のデータ処理部３０２を適用することができる。
【０１８２】
第３実施形態に係る眼科装置の動作の例を図９に示す。
【０１８３】
（Ｓ２１：アライメントを開始）
まず、アライメントが開始される。アライメントは、自動アライメント（オートアライメント）でも手動アライメント（マニュアルアライメント）でもよい。
【０１８４】
（Ｓ２２：ヘッド部を移動）
オートアライメントの場合、移動制御部１０３（及びデータ処理部３００）は、例えば、ＸＹアライメントマーク６１１に対するＸＹアライメント指標像６１２の偏位を打ち消すようにモーター２１２を制御する。また、移動制御部１０３（及びデータ処理部３００）は、例えば、Ｚアライメント系１のラインセンサー１３の特定の受光素子に角膜反射光が投射されるようにモーター２１２を制御する。
【０１８５】
マニュアルアライメントの場合、例えば、第１実施形態の図５のステップＳ６〜Ｓ７と同様の処理が実行される。
【０１８６】
（Ｓ２３：アライメント完了？）
オートアライメントは、例えば、ラインセンサー１３の特定の受光素子に角膜反射光が投射されている状態と、ＸＹアライメント指標像６１２がＸＹアライメントマーク６１１内に位置している状態とが両立されたときに完了となる。
【０１８７】
マニュアルアライメントは、第１実施形態と同様に、検者の判断にしたがって完了となる。
【０１８８】
（Ｓ２４：パターン像を取得）
制御部１００は、収差測定投射系６を制御して、被検眼Ｅに対する測定光の投射を開始する。それにより、収差測定受光系７は、ハルトマン板７５により生成される点像群（パターン像）の検出を開始する。
【０１８９】
本例では、第１実施形態の図５に示す動作例と異なり、パターン像の検出を繰り返し行う必要はない。
【０１９０】
（Ｓ２５：ゴーストあり？）
データ処理部３００は、ステップＳ２４で取得されたパターン像にゴーストが含まれているか判定する。この処理は、例えば、第１実施形態の判定部３１０と同様にして実行される。
【０１９１】
パターン像にゴーストが含まれていないと判定された場合（Ｓ２５：Ｎｏ）、処理はステップＳ２８に移行する。一方、パターン像にゴーストが含まれていると判定された場合（Ｓ２５：Ｙｅｓ）、処理はステップＳ２６に移行する。
【０１９２】
（Ｓ２６：アライメントを修整）
ステップＳ２５においてパターン像にゴーストが含まれていると判定された場合（Ｓ２５：Ｙｅｓ）、移動制御部１０３及びデータ処理部３００は、アライメント状態を修整するための処理を実行する。
【０１９３】
例えば、制御部１００は、ヘッド部２００の移動と、アライメント状態の判定と、パターン像の状態の判定とを実行させる。ヘッド部２００の移動は、移動制御部１０３（及びデータ処理部３００）により実行される。アライメント状態の判定は、Ｚアライメント系１、ＸＹアライメント系２、データ処理部３００等によって実行される。パターン像の状態の判定は、収差測定投射系６、収差測定受光系７、データ処理部３００等によって実行される。
【０１９４】
典型的には、ヘッド部２００の移動に伴って、アライメントデータとパターン像とをそれぞれ２回以上取得する。アライメント状態については、２つ以上のアライメントデータを比較することにより、ヘッド部２００の移動目標位置を決定することができる。或いは、ヘッド部２００を移動させながらアライメントずれが小さくなる位置を探索するようにしてもよい。
【０１９５】
（Ｓ２７：ゴーストあり？）
データ処理部３００は、ステップＳ２５よりも後に取得されたパターン像にゴーストが含まれているか判定する。この処理は、ステップＳ２５と同様にして実行される。
【０１９６】
パターン像にゴーストが含まれていないと判定された場合（Ｓ２７：Ｎｏ）、処理はステップＳ２８に移行する。一方、パターン像にゴーストが含まれていると判定された場合（Ｓ２７：Ｙｅｓ）、処理はステップＳ２６に戻る。
【０１９７】
ステップＳ２６〜Ｓ２７の繰り返しは、例えば、アライメント状態とパターン像の状態との双方が好適になるまで継続される。或いは、アライメント状態とパターン像の状態とのうちの一方（優先される側）が好適になり、且つ、他方が許容範囲に含まれる状態になるまで、ステップＳ２６〜Ｓ２７の繰り返しを継続するようにしてもよい。この許容範囲は、通常の許容範囲よりも広く設定されてよい。
【０１９８】
ステップＳ２６〜Ｓ２７の繰り返しが所定時間（又は所定回数）継続されたとき、制御部１００は、アライメントモードをマニュアルアライメントに切り替えることできる。或いは、ステップＳ２６〜Ｓ２７の繰り返しが所定時間（又は所定回数）継続されたとき、制御部１００は、マニュアルアライメントへの切り替えを促す情報や、警告情報を、表示部４１０に表示させることができる。
【０１９９】
（Ｓ２８：被検眼を測定）
ステップＳ２７においてパターン像にゴーストが含まれていないと判定されると（Ｓ２７：Ｎｏ）、第１実施形態の図５のステップＳ１１と同じ要領で、被検眼Ｅの測定が行われる。
【０２００】
（Ｓ２９：アライメントずれ≧閾値？）
第１実施形態の図５のステップＳ１２と同じ要領で、報知制御部１０２は、アライメントのずれ量が閾値以上であるか判定する。
【０２０１】
アライメントのずれ量が閾値以上であると報知制御部１０２が判定した場合（Ｓ２９：Ｙｅｓ）、処理は、ステップＳ３０に移行する。一方、アライメントのずれ量が閾値未満であると報知制御部１０２が判定した場合（Ｓ２９：Ｎｏ）、処理は、ステップＳ３０をスキップしてステップＳ３１に移行する。
【０２０２】
（Ｓ３０：報知情報を表示）
アライメントのずれ量が閾値以上であると判定された場合（Ｓ２９：Ｙｅｓ）、報知制御部１０２は、所定の報知情報を表示部４１０に表示させる。この処理は、第１実施形態の図５のステップＳ１３と同じ要領で実行される。
【０２０３】
（Ｓ３１：測定結果を表示）
表示制御部１０１は、ステップＳ２８の測定により取得されたデータを表示部４１０に表示させる。ステップＳ３０が行われた場合、表示部４１０には、測定結果と報知情報とが表示される。以上で、本例の説明は終了である。
【０２０４】
このような実施形態によれば、アライメント情報とパターン像の双方を考慮した（オート）アライメントを実現することができる。
【０２０５】
〈変形例等〉
以上に示された実施形態は、この発明を実施するための例に過ぎない。この発明を実施しようとする者は、この発明の要旨の範囲内において任意の変形、省略、追加等を施すことが可能である。
【０２０６】
上記した第１〜第３実施形態のうちのいずれか２つ以上を組み合わせることが可能である。
【０２０７】
アライメントの方式は任意である。例えば、上記実施形態のＺアライメント系１、ＸＹアライメント系２、観察系５などの代わりに（又は、これらに加えて）、特開２０１３−２４８３７６号公報などに開示された、ステレオカメラ方式を採用することができる。ステレオカメラ方式では、前眼部を異なる方向から撮影可能な２以上の撮影部（２以上のカメラ）と、２以上の撮影部により実質的に同時に取得された２以上の撮影画像を解析することで被検眼の３次元位置を求める解析部とが設けられる。解析は、公知の三角法を利用する。
【０２０８】
アライメント中だけでなく検査中（測定中）においてもパターン像を表示できる構成が適用される場合、アライメント中と検査中とでパターン像の表示態様を変更することができる。例えば、上記実施形態において、アライメント中と検査中とでパターン像の表示輝度とを変更することができる。
【０２０９】
アライメント中に光源６１を点灯したときにはロータリープリズム６７を回転させる必要はない。一方、検査中（測定中）に光源６１を点灯したときにはロータリープリズム６７を回転させる。
【０２１０】
実施形態は、被検眼を光学的に検査するための眼科装置の制御方法を含む。この制御方法は、次のステップを含む：被検眼に対する眼科装置のアライメントを行う第１ステップ；第１ステップのアライメントが行われているときに、被検眼の眼底に向けて光束を投射し、その戻り光をパターン像として検出する第２ステップ；第１ステップのアライメントが行われているときに、第２ステップで検出されたパターン像を解析してゴーストの有無を判定する第３ステップ。
【０２１１】
このような実施形態によれば、ゴーストの混入等に起因する測定エラーの発生を回避することができ、ＩＯＬ眼等の検査を好適に行うことができる。
【０２１２】
実施形態は、次のいずれかを実現ためのコンピュータプログラムを含む：実施形態に係る眼科装置；実施形態に係る眼科装置の構成要素の任意の組み合わせ：実施形態に係る制御方法；実施形態に係る制御方法の構成要素の任意の組み合わせ。
【０２１３】
実施形態は、上記したコンピュータプログラムのいずれかが記憶された記録媒体を含む。実施形態に係る記録媒体を用いて、上記したコンピュータプログラムのいずれかを、眼科装置やコンピュータにインストールすることが可能である。実施形態に係る記録媒体は、非一過性の記録媒体であってよい。非一過性の記録媒体の種類は特に限定されない。例えば、ＣＤ−ＲＯＭを非一過性の記録媒体として用いることができる。
【符号の説明】
【０２１４】
１  Ｚアライメント系
２  ＸＹアライメント系
５  観察系
６  収差測定投射系
７  収差測定受光系
１００  制御部
１０１  表示制御部
１０２  報知制御部
１０３  移動制御部
２００  ヘッド部
３００  データ処理部
３１０  判定部
３２１  演算部
３２２  判定部
【図１】
2018153547.tif 000003
【図２Ａ】
2018153547.tif 000004
【図２Ｂ】
2018153547.tif 000005
【図３】
2018153547.tif 000006
【図４】
2018153547.tif 000007
【図５】
2018153547.tif 000008
【図６】
2018153547.tif 000009
【図７】
2018153547.tif 000010
【図８】
2018153547.tif 000011
【図９】
2018153547.tif 000012